(57)【要約】【課題】  低コストで信頼性に優れ、光の損失を大幅に低減できる面状照明装置を提供する。【解決手段】  光源１２と、光源１２を第１側端面１１Ａに沿って配置させた導光板１１と、導光板１１の少なくとも光出射面１１Ｓに重ねて配置された光学シートと、導光板１１の第１側端面１１Ａに交差する第２側端面１１Ｂ、１１Ｃの周辺部を光学シートとともに覆って貼付される、断面がコ字状に屈曲された固定テープ１３と、を有する。固定テープは、一方の面が白色で他方の面が黒色の両面テープからなり、導光板および光学シートとの貼付面が白色となっている。光学シートは、導光板の光出射面と反対側の面に配置される反射シートを含む。光学シートは、導光板の光出射面に配置される拡散シートと一対のプリズムシートを含む。【選択図】図１
2014203602.tif 000002
【特許請求の範囲】
【請求項１】
光源と、
前記光源を第１側端面に沿って配置させた導光板と、
前記導光板の少なくともいずれか一方の主面に重ねて配置された光学シートと、
前記導光板の前記第１側端面に交差する第２側端面の周辺部を前記光学シートとともに覆って貼付される、断面がコ字状に屈曲された固定テープと、
を有することを特徴とする面状照明装置。
【請求項２】
前記固定テープは、一方の面が白色で他方の面が黒色のテープからなり、前記導光板および光学シートとの貼付面が白色となっていることを特徴とする請求項１に記載の面状照明装置。
【請求項３】
前記導光板の前記光源が配置された前記第１側端面の周辺部を前記光学シートとともに覆って配置され、前記光源を内包する、断面がコ字状の第１樹脂フレームを有することを特徴とする請求項１、２のいずれかに記載の面状照明装置。
【請求項４】
前記導光板の前記光源が配置された前記第１側端面の反対側の側端面の周辺部を前記光学シートとともに覆って配置される、断面がコ字状の第２樹脂フレームを有することを特徴とする請求項３に記載の面状照明装置。
【請求項５】
前記主面のうち光出射面側の前記第１樹脂フレームと前記第２樹脂フレームを覆って配置される遮光シートを有し、
前記遮光シートは、前記固定テープとともに、有効発光領域を区画する額縁を構成することを特徴とする請求項４に記載の面状照明装置。
【請求項６】
前記光学シートは、前記導光板の前記主面のうち光出射面と反対側の面に配置される反射シートを含むことを特徴とする請求項１ないし５のいずれかに記載の面状照明装置。
【請求項７】
前記光学シートは、前記導光板の前記主面のうち前記光出射面に配置される拡散シートと一対のプリズムシートを含むことを特徴とする請求項１ないし６のいずれかに記載の面状照明装置。
【発明の詳細な説明】
【技術分野】
【０００１】
本発明は面状照明装置に係り、たとえばフレキシブルな面状照明装置に関する。
【背景技術】
【０００２】
液晶表示基板の光源として、たとえばフレキシブルな面状照明装置が用いられている。
このような面状照明装置は、たとえば下記特許文献１に開示されているように、導光板の表面（光出射面）にプリズムシートおよび拡散シートを順次重ねて積層させたものをハウジングフレームに収納させ、導光板の裏面に配置させる反射シートを所定の厚さからなる両面テープを用いて該ハウジングフレームに固定させた構成となっている。
このように構成された面状照明装置は、それを湾曲させた状態にしても、導光板の裏面に配置された反射シートを安定して保持できる効果を奏する。
【先行技術文献】
【特許文献】
【０００３】
【特許文献１】特開２０１３−８４４６号公報
【発明の概要】
【発明が解決しようとする課題】
【０００４】
しかし、上述した面状照明装置は、導光板のサイズに応じて、厚さの比較的大きな両面テープを用いる必要があり、汎用品では対応できない事情があることから、作業が煩雑になるとともにコストが嵩むという不都合があった。
また、反射シートは、両面テープを介して、導光板等の周囲に配置されるハウジングフレームとの固定がなされる構造から、それらの固定面の面積が小さく、長期信頼性の確保の面で充分でないという不都合があった。
さらに、両面テープの厚さが大きくなることによって、導光板から該両面テープを透過して外部に漏れる光の量が多くなり、輝度の低下を招くという不都合があった。
【０００５】
本発明は、このような事情に鑑みてなされたものであり、その目的は、低コストで信頼性に優れ、光の損失を大幅に低減できる面状照明装置を提供することにある。
【課題を解決するための手段】
【０００６】
本発明は、以下の構成によって把握される。
（１）本発明の面状照明装置は、光源と、前記光源を第１側端面に沿って配置させた導光板と、前記導光板の少なくともいずれか一方の主面に重ねて配置された光学シートと、前記導光板の前記第１側端面に交差する第２側端面の周辺部を前記光学シートとともに覆って貼付される、断面がコ字状に屈曲された固定テープと、を有することを特徴とする。
（２）本発明の面状照明装置は、（１）の構成において、前記固定テープは、一方の面が白色で他方の面が黒色のテープからなり、前記導光板および光学シートとの貼付面が白色となっていることを特徴とする。
（３）本発明の面状照明装置は、（１）、（２）のいずれかの構成において、前記導光板の前記光源が配置された前記第１側端面の周辺部を前記光学シートとともに覆って配置され、前記光源を内包する、断面がコ字状の第１樹脂フレームを有することを特徴とする。
（４）本発明の面状照明装置は、（３）の構成において、前記導光板の前記光源が配置された前記第１側端面の反対側の側端面の周辺部を前記光学シートとともに覆って配置される、断面がコ字状の第２樹脂フレームを有することを特徴とする。
（５）本発明の面状照明装置は、（４）の構成において、前記主面のうち光出射面側の前記第１樹脂フレームと前記第２樹脂フレームを覆って配置される遮光シートを有し、前記遮光シートは、前記固定テープとともに、有効発光領域を区画する額縁を構成することを特徴とする。
（６）本発明の面状照明装置は、（１）ないし（５）のいずれかの構成において、前記光学シートは、前記導光板の前記主面のうち光出射面と反対側の面に配置される反射シートを含むことを特徴とする。
（７）本発明の面状照明装置は、（１）ないし（６）のいずれかの構成において、前記光学シートは、前記導光板の前記主面のうち前記光出射面に配置される拡散シートと一対のプリズムシートを含むことを特徴とする。
【発明の効果】
【０００７】
本発明の面状照明装置によれば、低コストで信頼性に優れ、光の損失を大幅に低減できるようになる。
【図面の簡単な説明】
【０００８】
【図１】本発明の面状照明装置の構成図であり、（ａ）は正面図、（ｂ）は（ａ）のｂ−ｂ線における断面図、（ｃ）は（ａ）のｃ−ｃ線における断面図、（ｄ）は裏面図である。
【発明を実施するための形態】
【０００９】
以下、添付図面を参照して、本発明を実施するための形態（以下、実施形態）について詳細に説明する。なお、実施形態の説明の全体を通して同じ要素には同じ番号を付している。
（実施形態１）
図１（ａ）ないし（ｄ）は、本発明の面状照明装置の構成図であり、（ａ）は正面図、（ｂ）は（ａ）のｂ−ｂ線における断面図、（ｃ）は（ａ）のｃ−ｃ線における断面図、（ｄ）は裏面図である。
図１（ａ）ないし（ｄ）に示すように、面状照明装置１０は、まず、たとえば合成樹脂からなる矩形状の導光板１１を有する。
【００１０】
導光板１１の一辺の側端面１１Ａ（以下、第１側端面１１Ａと称する）には、該第１側端面１１Ａに対向して光源１２が配置されている。この光源１２は、導光板１１の該一辺に沿って並設される複数の発光素子（図示せず）から構成されている。
この実施形態１では、光源１２からの光は、導光板１１の第１側端面１１Ａから導光板１１内に導かれ、該導光板１１の表裏面を形成する各主面のうち一方の主面（光出射面１１Ｓ）から出射されるようになっている。
【００１１】
導光板１１の光出射面１１Ｓには、拡散シートＤＳ、一対のプリズムシートＰＳ１、ＰＳ２が順次重ねられて配置されている。拡散シートＤＳは、導光板１１からの光を拡散させ、該出射面１１Ｓの全域にわたって輝度の均一化を図るようになっている。また、一対のプリズムシートＰＳ１、ＰＳ２は、拡散シートＤＳを介した導光板１１からの光にたとえば集光性をもたせるようになっている。
また、導光板１１の光出射面１１Ｓと反対側の裏面には反射シートＲＳが重ねられて配置されている。反射シートＲＳは、導光板１１内の光を光出射面１１Ｓ側へ反射させるようになっている。
なお、この明細書では、上述した拡散シートＤＳ、プリズムシートＰＳ１、ＰＳ２とともに、反射シートＲＳを光学シートと称する場合がある。
【００１２】
そして、このように拡散シートＤＳ、プリズムシートＰＳ１、ＰＳ２、および反射シートＲＳが重ねられた導光板１１は、第１側端面１１Ａと交差する第２側端面１１Ｂ、１１Ｃの周辺部を、拡散シートＤＳ、プリズムシートＰＳ１、ＰＳ２、および反射シートＲＳとともに覆って、固定テープ１３が貼付されている。
この場合、固定テープ１３は、図１（ｃ）に示すように、その幅方向の中央部を導光板１１の第２側端面１１Ｂ、１１Ｃに接着させ、幅方向の一端部をプリズムシートＰＳ２の表面に接着させ、幅方向の他端部を反射シートＲＳの表面に接着させることによって、断面がコ字状に屈曲されて貼付されている。
【００１３】
これにより、導光板１１、拡散シートＤＳ、プリズムシートＰＳ１、ＰＳ２、および反射シートＲＳは、固定テープ１３によって強固に結合され、その結合は長期的な信頼性を確保できるようになる。このため、導光板１１を、拡散シートＤＳ、プリズムシートＰＳ１、ＰＳ２、および反射シートＲＳとともに、導光板１１の第２側端面１１Ｂ、１１Ｃの長手方向の中央部が凸（あるいは凹）となるように湾曲させても、導光板１１、拡散シートＤＳ、プリズムシートＰＳ１、ＰＳ２、および反射シートＲＳの相互の結合を充分に確保できる効果を奏する。
【００１４】
また、固定テープ１３は、図１（ｃ）に示すように、一方の面１３Ｓが白色で他方の面１３Ｂが黒色のテープからなり、導光板１１、拡散シートＤＳ、プリズムシートＰＳ１、ＰＳ２、および反射シートＲＳとの貼付面（前記面１３Ｓ）が白色となるようになっている。このように構成することにより、導光板１１の第２側端面１１Ｂ、１１Ｃから漏れる光を固定テープ１３の白色の面１３Ｓによって反射させ導光板１１内に戻すことができ、面状照明装置１０の輝度を向上させることができるようになる。
なお、本発明の適用にあっては、固定テープ１３を、必ずしも上述したものとする必要はなく、たとえば両面がそれぞれ黒色のテープであってもよい。
【００１５】
そして、断面がコ字状の樹脂フレーム１５（以下、第１樹脂フレーム１５と称する）が、導光板１１の光源１２が配置された第１側端面１１Ａの周辺部を、反射シートＲＳとともに覆って配置（係合）されている。なお、樹脂フレーム１５は、拡散シートＤＳおよびプリズムシートＰＳ１、ＰＳ２も併せて覆うように構成してもよい。
第１樹脂フレーム１５は、光源１２を内包するように配置され、ハウジングフレームとして機能するようになっている。
第１樹脂フレーム１５は、その一部を貫通するフレキシブル配線基板２０を有し、このフレキシブル配線基板２０を介して、光源１２に電源等を供給するようになっている。このようにした場合、第１樹脂フレーム１５の剛性により、フレキシブル配線基板２０と光源１２との電気的接続における断線防止の信頼性を向上させることができる効果を奏する。
【００１６】
さらに、断面がコ字状の樹脂フレーム１６（以下、第２樹脂フレーム１６と称する）が、導光板１１の第１側端面１１Ａと反対側の側端面１１Ｄの周辺部を、拡散シートＤＳ、プリズムシートＰＳ１、ＰＳ２、および反射シートＲＳとともに、覆って配置（係合）されている。
第２樹脂フレーム１６は、第１樹脂フレーム１５とともに、ハウジングフレームとして機能するようになっている。
【００１７】
なお、第１樹脂フレーム１５、第２樹脂フレーム１６は、黒色のものを用いるのが好ましいが、内側において白色であってもよいし、全体が白色であってもよい。このようにした場合、導光板１１の第１側端面１１Ａ、その反対側の側端面１１Ｄから漏れる光を反射させ導光板１１内に戻すことができる効果を奏する。
また、第１樹脂フレーム１５、第２樹脂フレーム１６は、その厚みを極力小さくし、それらの長手方向に沿って湾曲できるように構成してもよい。面状照明装置１０としてのフレキシビリティを向上させるためである。
【００１８】
そして、第１樹脂フレーム１５と第２樹脂フレーム１６のうち導光板１１の光出射面１１Ｓ側の表面には、それぞれ、第１樹脂フレーム１５と第２樹脂フレーム１６を覆って遮光シート１８Ａ、１８Ｂが形成されている。この遮光シート１８Ａ、１８Ｂは、少なくとも、その表面がたとえば黒色となっている。遮光シート１８Ａ、１８Ｂの裏面は、白色あるいは黒色であってもよい。
この場合、たとえば遮光シート１８Ａは、第１樹脂フレーム１５よりも導光板１１の中央側に若干張り出して形成されている。これにより、遮光シート１８Ａは、遮光シート１８Ｂ、固定テープ１３とともに、有効発光領域を区画する額縁を構成するようになっている。
このような趣旨から、遮光シート１８Ｂにおいても、第２樹脂フレーム１６よりも導光板１１の中央側に若干張り出して形成するように形成してもよいことはもちろんである。
【００１９】
このように構成した面状照明装置１０によれば、そのサイズや厚さが変わっても、一種の固定テープ１３を用いることができ、その幅や長さを変えるのみで対応することができるので、作業性の向上やコストの低減を図ることができるようになる。
また、上述した固定テープ１３を用いることによって、面状照明装置１０を湾曲させても、光学シート（拡散シートＤＳ、プリズムシートＰＳ１、ＰＳ２、および反射シートＲＳ等）を導光板１１の主面に保持させることができ、長期信頼性の確保を充分とすることができるようになる。
さらに、上述した固定テープ１３を用いることによって、導光板１１からの漏光の発生を抑制することができるようになる。
【００２０】
（実施形態２）
実施形態１では、導光板１１の第１側端面１１Ａ、その反対側の側端面１１Ｄのそれぞれに、樹脂材からなる第１樹脂フレーム１５、第２樹脂フレーム１６を係止させて構成したものである。しかし、これに限定されることはなく、第１樹脂フレーム１５、第２樹脂フレーム１６に替えて上述した固定テープ１３と同様の固定テープを用いるようにしてもよい。
【００２１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２２】
１０……面状照明装置、
１１……導光板、
１１Ａ……第１側端面、
１１Ｂ、１１Ｃ……第２側端面、
１１Ｓ……光出射面、
１２……光源、
１３……固定テープ、
１５……第１樹脂フレーム、
１６……第２樹脂フレーム、
１８Ａ、１８Ｂ……遮光シート、
２０……フレキシブル配線基板、
ＤＳ……拡散シート、
ＰＳ１、ＰＳ２……プリズムシート、
ＲＳ……反射シート。
【図１】
2014203602.tif 000003